(57)【要約】【課題】ユーザが所望するプログラムを効率よく選択可能とする。【解決手段】プログラムに関する情報を記憶するプログラム情報記憶手段１１と、プログラム情報記憶手段１１に記憶されている情報に基づいて、プログラムをユーザの用途にあったカテゴリで分けるカテゴリ設定手段１２と、カテゴリ設定手段１２により分けられたカテゴリを画面上に一覧表示するカテゴリ選択画面表示手段１３と、カテゴリ選択画面表示手段１３により表示されたカテゴリの一覧から、対象のカテゴリを選択するカテゴリ選択手段１４と、カテゴリ設定手段１２によるカテゴリ分けに基づいて、カテゴリ選択手段１４により選択されたカテゴリに含まれるプログラムの一覧を画面上に表示するプログラム選択画面表示手段１５と、プログラム選択画面表示手段１５により表示されたプログラムの一覧から、監視管理に用いるプログラムを選択するプログラム選択手段１６とを備えた。【選択図】図１
2015088111.tif 000002
【特許請求の範囲】
【請求項１】
施設内の機器を所定の制御機能のプログラムに従い監視管理する施設管理装置において、
前記プログラムに関する情報を記憶するプログラム情報記憶手段と、
前記プログラム情報記憶手段に記憶されている情報に基づいて、前記プログラムをユーザの用途にあったカテゴリで分けるカテゴリ設定手段と、
前記カテゴリ設定手段により分けられたカテゴリを画面上に一覧表示するカテゴリ選択画面表示手段と、
前記カテゴリ選択画面表示手段により表示されたカテゴリの一覧から、対象のカテゴリを選択するカテゴリ選択手段と、
前記カテゴリ設定手段によるカテゴリ分けに基づいて、前記カテゴリ選択手段により選択されたカテゴリに含まれるプログラムの一覧を画面上に表示するプログラム選択画面表示手段と、
前記プログラム選択画面表示手段により表示されたプログラムの一覧から、前記監視管理に用いるプログラムを選択するプログラム選択手段と
を備えたことを特徴とする施設管理装置。
【請求項２】
前記カテゴリ設定手段は、前記プログラムを、当該プログラムにより監視管理される前記機器が設置された前記施設内のフロアで分ける
ことを特徴とする請求項１記載の施設管理装置。
【請求項３】
施設内の機器を所定の制御機能のプログラムに従い監視管理する施設管理方法において、
前記プログラムに関する情報を記憶するプログラム情報記憶ステップと、
前記プログラム情報記憶ステップにおいて記憶した情報に基づいて、前記プログラムをユーザの用途にあったカテゴリで分けるカテゴリ設定ステップと、
前記カテゴリ設定ステップにおいて分けたカテゴリを画面上に一覧表示するカテゴリ選択画面表示ステップと、
前記カテゴリ選択画面表示ステップにおいて表示したカテゴリの一覧から、対象のカテゴリを選択するカテゴリ選択ステップと、
前記カテゴリ設定ステップにおけるカテゴリ分けに基づいて、前記カテゴリ選択ステップにおいて選択したカテゴリに含まれるプログラムの一覧を画面上に表示するプログラム選択画面表示ステップと、
前記プログラム選択画面表示ステップにおいて表示したプログラムの一覧から、前記監視管理に用いるプログラムを選択するプログラム選択ステップと
を有することを特徴とする施設管理方法。
【発明の詳細な説明】
【技術分野】
【０００１】
この発明は、施設内の機器を所定の制御機能のプログラムに従い監視管理する施設管理装置および施設管理方法に関するものである。
【背景技術】
【０００２】
従来から、施設内の機器を監視管理する施設管理装置において、制御機能のプログラムを選択する場合、まず、所望の制御機能を選択し、その後、デバイスを選択し、選択したデバイスの対象プログラムを選択するように構成されている。すなわち、制御機能を実現しているのはリモートの接続デバイスであり、そのデバイスを選択して制御画面を表示するよう構成されている。
【先行技術文献】
【特許文献】
【０００３】
【特許文献１】特開２００２−１８９５１４号公報
【発明の概要】
【発明が解決しようとする課題】
【０００４】
しかしながら、従来の構成では、ユーザ視点の操作と実際の画面遷移が合っていないという課題がある。また、ユーザは、制御機能を選択し、その後デバイスを選択し、プログラムを選択する必要があり、操作回数が多いという課題がある。
一方、運用に合わせて操作を容易とするため、ユーザ側でメニュー画面のカスタマイズを可能とする構成も知られている（例えば特許文献１参照）。しかしながら、この特許文献１に開示された構成であっても、ユーザ視点の操作と実際の画面遷移を合わせることはできていない。
【０００５】
この発明は、上記のような課題を解決するためになされたもので、ユーザが所望するプログラムを効率よく選択することができる施設管理装置および施設管理方法を提供することを目的としている。
【課題を解決するための手段】
【０００６】
この発明に係る施設管理装置は、プログラムに関する情報を記憶するプログラム情報記憶手段と、プログラム情報記憶手段に記憶されている情報に基づいて、プログラムをユーザの用途にあったカテゴリで分けるカテゴリ設定手段と、カテゴリ設定手段により分けられたカテゴリを画面上に一覧表示するカテゴリ選択画面表示手段と、カテゴリ選択画面表示手段により表示されたカテゴリの一覧から、対象のカテゴリを選択するカテゴリ選択手段と、カテゴリ設定手段によるカテゴリ分けに基づいて、カテゴリ選択手段により選択されたカテゴリに含まれるプログラムの一覧を画面上に表示するプログラム選択画面表示手段と、プログラム選択画面表示手段により表示されたプログラムの一覧から、監視管理に用いるプログラムを選択するプログラム選択手段とを備えたものである。
【０００７】
また、この発明に係る施設管理方法は、プログラムに関する情報を記憶するプログラム情報記憶ステップと、プログラム情報記憶ステップにおいて記憶した情報に基づいて、プログラムをユーザの用途にあったカテゴリで分けるカテゴリ設定ステップと、カテゴリ設定ステップにおいて分けたカテゴリを画面上に一覧表示するカテゴリ選択画面表示ステップと、カテゴリ選択画面表示ステップにおいて表示したカテゴリの一覧から、対象のカテゴリを選択するカテゴリ選択ステップと、カテゴリ設定ステップにおけるカテゴリ分けに基づいて、カテゴリ選択ステップにおいて選択したカテゴリに含まれるプログラムの一覧を画面上に表示するプログラム選択画面表示ステップと、プログラム選択画面表示ステップにおいて表示したプログラムの一覧から、監視管理に用いるプログラムを選択するプログラム選択ステップとを有するものである。
【発明の効果】
【０００８】
この発明によれば、上記のように構成したので、ユーザが所望するプログラムを効率よく選択することができる。
【図面の簡単な説明】
【０００９】
【図１】この発明の実施の形態１に係る施設管理装置の構成を示す図である。
【図２】この発明の実施の形態１に係る施設管理装置によるプログラム選択を示すフローチャートである。
【図３】この発明の実施の形態１に係る施設管理装置によるプログラム選択を示す画面遷移例を示す図である。
【発明を実施するための形態】
【００１０】
以下、この発明の実施の形態について図面を参照しながら詳細に説明する。
実施の形態１．
図１はこの発明の実施の形態１に係る施設管理装置１の構成を示す図である。
施設管理装置１は、施設内の機器（不図示）を所定の制御機能のプログラムに従い監視管理するものである。この施設管理装置１は、図１に示すように、プログラム情報記憶手段１１、カテゴリ設定手段１２、カテゴリ選択画面表示手段１３、カテゴリ選択手段１４、プログラム選択画面表示手段１５およびプログラム選択手段１６から構成されている。
【００１１】
プログラム情報記憶手段１１は、施設内の各機器を監視管理するため、リモートの接続デバイス（不図示）が実現する制御機能のプログラムに関する情報を記憶するものである。このプログラムに関する情報としては、例えば、プログラムの識別情報、当該プログラムによる制御機能に関する情報、当該制御機能を実現するデバイスに関する情報、当該デバイスが設置された施設内のフロアに関する情報等が挙げられる。
カテゴリ設定手段１２は、プログラム情報記憶手段１１に記憶されている情報に基づいて、プログラムをユーザの用途にあったカテゴリで分けるものである。
【００１２】
カテゴリ選択画面表示手段１３は、カテゴリ設定手段１２により分けられたカテゴリをモニタ（不図示）の画面上に一覧表示するものである。
カテゴリ選択手段１４は、ユーザ操作に従い、カテゴリ選択画面表示手段１３により表示されたカテゴリの一覧から、対象のカテゴリを選択するものである。
【００１３】
プログラム選択画面表示手段１５は、カテゴリ設定手段１２によるカテゴリ分けに基づいて、カテゴリ選択手段１４により選択されたカテゴリに含まれるプログラムの一覧をモニタの画面上に表示するものである。
プログラム選択手段１６は、ユーザ操作に従い、プログラム選択画面表示手段１５により表示されたプログラムの一覧から、監視管理に用いるプログラムを選択するものである。
【００１４】
次に、上記のように構成された施設管理装置１の動作について、図２，３を参照しながら説明する。なお、プログラム情報記憶手段１１は、施設内の各機器を監視管理するため、リモートの接続デバイスが実現する制御機能のプログラムに関する情報を記憶している（プログラム情報記憶ステップ）。
【００１５】
この施設管理装置１の動作では、図２に示すように、まず、カテゴリ設定手段１２は、プログラム情報記憶手段１１に記憶されている情報に基づいて、プログラムをユーザの用途にあったカテゴリで分ける（ステップＳＴ１、カテゴリ設定ステップ）。以下では、カテゴリ設定手段１２は、プログラムを、当該プログラムにより監視管理される機器が設置された施設内のフロアで分けるものとする。
【００１６】
なお、カテゴリ設定手段１２によるカテゴリ分けは手動または自動により行うことができる。ここで、カテゴリ設定手段１２が手動設定の場合には、目的ごとに、リモートの接続デバイスが実現する制御機能のプログラムを対応付けていく（グルーピングする）ことで、カテゴリ分けを行う。また、自動設定の場合には、施設内のエリアと制御機能を指定することで、関連する接続デバイスが検索され、対象のプログラムの一覧が表示される。そして、この中から所定のプログラムを選択することで、カテゴリ分けを行う。
【００１７】
次いで、カテゴリ選択画面表示手段１３は、カテゴリ設定手段１２により分けられたカテゴリをモニタの画面上に一覧表示する（ステップＳＴ２、カテゴリ選択画面表示ステップ）。これにより、モニタの画面上には、図３（ａ）に示すように、施設内のフロアが一覧表示される。
【００１８】
次いで、カテゴリ選択手段１４は、ユーザ操作に従い、カテゴリ選択画面表示手段１３により表示されたカテゴリの一覧から、対象のカテゴリを選択する（ステップＳＴ３、カテゴリ選択ステップ）。すなわち、ユーザは、図３（ａ）に示す画面上において所望のフロアを選択する。
【００１９】
次いで、プログラム選択画面表示手段１５は、カテゴリ設定手段１２によるカテゴリ分けに基づいて、カテゴリ選択手段１４により選択されたカテゴリに含まれるプログラムの一覧をモニタの画面上に表示する（ステップＳＴ４、プログラム選択画面表示ステップ）。これにより、モニタの画面上には、図３（ｂ）に示すように、ユーザに選択されたフロア内に設置された機器に対する制御機能のプログラムが一覧表示される。
【００２０】
次いで、プログラム選択手段１６は、ユーザ操作に従い、プログラム選択画面表示手段１５により表示されたプログラムの一覧から、監視管理に用いるプログラムを選択する（ステップＳＴ５、プログラム選択画面表示ステップ）。すなわち、ユーザは、図３（ｂ）に示す画面上において所望のプログラムを選択することで、制御画面（図３（ｃ））に遷移させ監視管理を行う。
このように、制御機能のプログラムを、使用するユーザの用途にあったカテゴリで分けることで、プログラム選択を効率よく行うことができる。
【００２１】
以上のように、この実施の形態１によれば、プログラムに関する情報を記憶するプログラム情報記憶手段１１と、プログラム情報記憶手段１１に記憶されている情報に基づいて、プログラムをユーザの用途にあったカテゴリで分けるカテゴリ設定手段１２と、カテゴリ設定手段１２により分けられたカテゴリを画面上に一覧表示するカテゴリ選択画面表示手段１３と、カテゴリ選択画面表示手段１３により表示されたカテゴリの一覧から、対象のカテゴリを選択するカテゴリ選択手段１４と、カテゴリ設定手段１２によるカテゴリ分けに基づいて、カテゴリ選択手段１４により選択されたカテゴリに含まれるプログラムの一覧を画面上に表示するプログラム選択画面表示手段１５と、プログラム選択画面表示手段１５により表示されたプログラムの一覧から、監視管理に用いるプログラムを選択するプログラム選択手段１６とを備えたので、ユーザが所望するプログラムを効率よく選択することができる。
【００２２】
なお、本願発明はその発明の範囲内において、実施の形態の任意の構成要素の変形、もしくは実施の形態の任意の構成要素の省略が可能である。
【符号の説明】
【００２３】
１  施設管理装置
１１  プログラム情報記憶手段
１２  カテゴリ設定手段
１３  カテゴリ選択画面表示手段
１４  カテゴリ選択手段
１５  プログラム選択画面表示手段
１６  プログラム選択手段
【図１】
2015088111.tif 000003
【図２】
2015088111.tif 000004
【図３】
2015088111.tif 000005